(57)【特許請求の範囲】
【請求項１】
枠辺長が伸縮可能なスクリーン印刷用スクリーン枠であって、
前記スクリーン印刷用スクリーン枠はコーナーを有する４つのＬ字形コーナー部材とコーナーを有しない４本の枠辺部材と４本の雄螺子から構成され、
前記４本の枠辺部材は両端に嵌挿孔を有しており、
前記各Ｌ字形コーナー部材には雄螺子頭受部と雄螺子受部が直交して形成され、
前記雄螺子頭受部に前記雄螺子頭が嵌挿され、
前記雄螺子頭受部及び前記雄螺子受部の各々が前記４本の枠辺部材の前記嵌挿孔に摺動可能に嵌挿され、
前記雄螺子受部に前記雄螺子が螺合され、
前記雄螺子を回転させることにより枠辺長を伸縮する、スクリーン印刷用スクリーン枠。
【発明の詳細な説明】
【技術分野】
【０００１】
この発明は、スクリーン印刷用のスクリーン枠に関する。
【背景技術】
【０００２】
近年、急速にスクリーン印刷の需要とその対象が拡大して来ている分野がある。その印刷対象物は、プリント基板、ハイブリッドＩＣ、チップ部品、蛍光表示管、プラズマディスプレー、液晶ディスプレー、ＥＬ等の電極や回路形成印刷及び蛍光素材の印刷、隔壁の印刷等電子機器の製造に欠くことのできない基本的な技術に関するものである。
【０００３】
従来、スクリーン印刷用のスクリーン版は、スクリーン版中央部に画像形成予定部を有する伸縮性の少ない主として金属製メッシュを設け、これの支持部として画像形成予定部の周辺部に、比較的弾力性の大きなメッシュを配した、比較的単純な構造のスクリーン版が使用されている。
【０００４】
スクリーン印刷用のスクリーンは、スクリーンに張力を掛けて張設するので、スクリーン枠はこの張力に耐える強度が必要であり、極めて頑丈な木製又は金属製のものが使用される。スクリーン枠が重くて且つ嵩張ったものとなる。
【０００５】
また、後日の再使用のため版を保存するが、しかもスクリーンが枠に張設されたままの状態で保管され、そのため倉庫等の大きな保管場所を必要とする。
【０００６】
また、スクリーンに張力を掛けた状態のまま保管するので、保管中にスクリーンが延びてしまい画像が変形する。
【０００７】
また、スクリーンの加工場所と、画像の形成場所及び印刷場所が、夫々離れた場所であることが多いので、重くて嵩張るスクリーン枠を夫々の場所まで移動、搬送することは、労力を要する。
【０００８】
また、使用済みとなったスクリーン枠を再使用するためにスクリーンを剥がしてクリーニングすることは、労力を要する。
【０００９】
また、スクリーン枠の辺長を自在に調節するスクリーン枠は、スクリーンの牽引手段が大掛かりなものとなり、取り扱いが不便である。
【００１０】
スクリーン枠の辺長を自在に調節するスクリーン枠とスクリーンを固定したスクリーン掛止具とを組み合わせて、スクリーンを張設したり、スクリーンの張設力を調節したり、スクリーンを固定したスクリーン掛止具を脱着自在にすることができれば便利である。
【００１１】
スクリーン枠辺を移動させるスクリーン枠に、スクリーン枠辺に設けた掛止部にスクリーンを固定したスクリーン掛止具を使用して取り付け、スクリーンに印刷可能な張力を持たせたものと、スクリーン枠の辺長を伸縮可能に構成したスクリーン枠に、スクリーンを直接固定して、スクリーンに印刷可能な張力を持たせたものがある。
【００１２】
スクリーン枠の辺長を自在に調節するスクリーン枠とスクリーンを固定したスクリーン掛止具とを組み合わせて、スクリーンを張設したり、スクリーンの張設力を調節したり、スクリーンを固定したスクリーン掛止具を脱着自在にすることができるものが、米国特許３４８２３４３号明細書に示されている。
【００１３】
図１に、先行技術のスクリーン枠の例を示す。
この図において（ａ）は透視概要図、（ｂ）は内部構成を説明するための断面図である。
【００１４】
スクリーン枠は辺を構成する４本の中空部材１３，１３ａ，１３ｂ，１３ｃと、Ｌ字形のコーナー部材１４，１４ａ，１４ｂ，１４ｃから構成されている。
中空部材１３，１３ａ，１３ｂ，１３ｃの内部には雌螺子１６，１６ａ，１６ｂ，１６ｃが形成された各々２個の固定部材１６が収納され、コーナー部材１４，１４ａ，１４ｂ，１４ｃに回転自在に取り付けられた雄螺子１５，１５ａ，１５ｂ，１５ｃが雄螺子が雌螺子１６，１６ａ，１６ｂ，１６ｃと螺合して構成されている。
【００１５】
雄螺子の頂部は、六角レンチで回転させる、六角レンチ用の嵌合孔を設けてある。各雄螺子１５，１５ａ，１５ｂ，１５ｃの頂部は、外部から加えられた回転力が雌螺子に伝達できるように、コーナー部材内に留まるように遊嵌してある。
雄螺子１５，１５ａ，１５ｂ，１５ｃを左右に回転すると、スクリーン枠辺が伸縮する。
【００１６】
この他に、メタルマスク取り付け機構を有するメタルマスクフレームが特開２００１−３４１２７８号公報に示されている。
【００１７】
辺長可変機構を有するスクリーン印刷用フレームが、この他に実開昭５６−９１０５９号公報に示されている。
【特許文献１】米国特許３４８２３４３号明細書
【特許文献２】特開２００１−３４１２７８号公報
【特許文献３】実開昭５６−９１０５９号公報
【発明の開示】
【発明が解決しようとする課題】
【００１８】
本願発明は、簡素な構成で、かつ、容易に伸縮操作を行うことが可能なスクリーン印刷用枠を得ることを課題とする。
【課題を解決するための手段】
【００１９】
本出願に係る発明は以下の手段により課題を解決する。
【００２０】
スクリーン枠辺長の伸縮可能なスクリーン枠と枠辺にスクリーンを固着したスクリーン掛止具を使用してスクリーンを張設するスクリーン印刷用スクリーン枠において、各Ｌ字形コーナーの外側の一端から各枠辺の内部を貫通して対向するＬ字形コーナーに雌螺子を設けて、対向するＬ字形コーナーの雌螺子とからなるスクリーン辺長の伸縮手段とを設ける。
【００２１】
スクリーン枠辺長の伸縮可能なスクリーン枠と枠辺にスクリーンを固着したスクリーン掛止具を使用してスクリーンを張設するスクリーン印刷用スクリーン枠において、各Ｌ字形コーナーの外側の一端から各枠辺の内部を貫通して対向するＬ字形コーナーにスクリーン枠辺内中間部に雌螺子を備えた雄螺子受けを設けて、対向するＬ字形コーナーの雄螺子受けに螺合する雄螺子とからなるスクリーン辺長の伸縮手段とを設けた、スクリーン印刷用スクリーン枠。
【００２２】
４つのＬ字形コーナーと、両端部にＬ字形コーナーを嵌挿できる嵌挿孔を設けた４本の枠辺部材を前記４つのＬ字形コーナーの各端部を各枠辺の嵌挿孔に嵌挿して組み立ててスクリーン枠の枠辺長の伸縮手段を設ける。
【００２３】
４つのＬ字形コーナーと、両端部にＬ字形コーナーを嵌挿できる嵌挿孔を設けた４本の枠辺を、長辺と短辺からなるＬ字形のスクリーン枠辺の長辺の端部に、対向して配置される他の枠辺の短辺が嵌挿できる嵌挿孔を設けた４本の枠辺を、夫々長辺と短辺が向き合う様に配置して、各短辺を各長辺の嵌挿孔に嵌挿して、スクリーン枠の枠辺長の伸縮手段を設ける。
【００２４】
４つのＬ字形コーナーと、両端部にＬ字形コーナーを嵌挿できる嵌挿孔を設けた４本の枠辺をスクリーン枠の各辺の中間位置で分割した４つのＬ字形の枠辺の各端部に補助枠辺を嵌挿する嵌挿孔を設け、各Ｌ字形枠の両端部に４本の前記補助枠辺をそれぞれ嵌挿して組み立てて、スクリーン枠の枠辺長の伸縮手段を設ける。
【００２５】
スクリーン枠の枠辺長の伸縮手段、水平移動具の水平移動手段及びスクリーン押さえ具のスクリーン押さえ手段は、螺子機構、ギア機構、シリンダー機構、カム機構、スプリング機構、磁力による反発又は引き寄せ機構、楔機構、梃子機構又はスライドする嵌合機構をモーター、空気又は油圧を駆動力とする。
【発明を実施するための最良の形態】
【００２６】
本発明の実施例を説明する。
以下に述べる実施例では、線径５０μｍ、１８０メッシュのポリエステルメッシュ（ＮＢＣ社製）、線径１８μｍ、５００メッシュ、厚１５０μｍのステンレスメッシュ（大阪メッシュ社製）を使用した。
【００２７】
また、シートは、厚さ１００ミクロンのポリエステルシート（東レ社製）、ステンレスシートは、厚さ１５０ミクロンである（新日鉄製）。
【００２８】
また、スクリーン枠に使用した枠は５５０mm×６５０mm、パイプ径３０mm×４０mmである。
【００２９】
金属のメッシュは、金属線、例えばステンレスの細線をメッシュに織ったもので種々のメッシュサイズのものが画像形成部のスクリーンに広く使用されているスクリーンである。
【００３０】
合成樹脂のメッシュは、合成樹脂の繊維例えばポリエステル又はポリイミド繊維をメッシュに織ったものである。
【００３１】
動物原料のメッシュは、代表的なものは絹繊維をメッシュに織ったいわゆるシルクスクリーンである。
【００３２】
植物原料のメッシュは、木綿を初めとする植物繊維をメッシュに織ったものである。
【００３３】
鉱物原料のメッシュは、金属、ガラス繊維などをメッシュに織ったものである。
【００３４】
又はの諸原料の繊維を複合原料として使用してメッシュに織ったものがある。
【００３５】
メッシュ及びシートのスクリーンは、金属、合成樹脂、動物、植物、鉱物又はこれらの複合素材からなるメッシュ又はシートであり、またシートをフォトリソ法、メッキ法、電鋳法、エッチング法、レーザー加工法、パンチング加工法、ルター加工法、機械加工法、成型法又はサンドブラスト法で加工してメッシュを形成し（シート加工メッシュ）、これに画像を形成し又はメッシュに形成する共に、加工により同時に画像を形成したスクリーン印刷用スクリーンである。
【００３６】
図２に示したのは、伸縮可能に構成したスクリーン枠の構造である。この図において（ａ）はスクリーン枠の全体構造図、（ｂ）は（ａ）のスクリーン枠をｂ−ｂ線から見た断面図である。なお、この図においてスクリーン掛止具、スクリーン掛止具の掛止部は図示してない。
スクリーン枠は、Ｌ字形状の４個のコーナー部材１４ａ，１４ｂ，１４ｃ，１４ｄ、４本の枠部材１１ａ，１１ｂ，１１ｃ，１１ｄ及び４本の雄螺子１６ａ，１６ｂ，１６ｃ，１６ｄから構成される。
【００３７】
各々のコーナー部材は一方に雄螺子頭を収納する雄螺子頭受を他方に雌螺子が形成された雄螺子受が設けられたＬ字形状をしており、各々の枠辺部材は両端に雄螺子頭受又は雄螺子受が摺動可能に嵌装される中空矩形管であり、各々の雄螺子は雄螺子頭を有し螺子先には雄螺子山が形成されている。
【００３８】
コーナー部材１４ａの雄螺子受１２ａがコーナー部材１４ｂの雄螺子頭受１３ｂと対向して配置されている。コーナー部材１４ｂの雄螺子受１２ｂがコーナー部材１４ｃの雄螺子頭受１３ｃと対向して配置されている。コーナー部材１４ｃの雄螺子受１２ｃがコーナー部材１４ｄの雄螺子頭受１３ｄと対向して配置されている。コーナー部材１４ｄの雄螺子受１２ｄがコーナー部材１４ａの雄螺子頭受１３ａと対向して配置されている。
【００３９】
枠辺部材１１ａの一方端にコーナー部材１４ａの雄螺子頭受１３ａが摺動可能に嵌装され、他方端にコーナー部材１４ｄの雄螺子受１２ｄが摺動可能に嵌装されている。枠辺部材１１ｂの一方端にコーナー部材１４ｂの雄螺子頭受１３ｂが摺動可能に嵌装され、他方端にコーナー部材１４ａの雄螺子受１２ａが摺動可能に嵌装されている。枠辺部材１１ｃの一方端にコーナー部材１４ｃの雄螺子頭受１３ｃが摺動可能に嵌装され、他方端にコーナー部材１４ｂの雄螺子受１２ｂが摺動可能に嵌装されている。枠辺部材１１ｄの一方端にコーナー部材１４ｄの雄螺子頭受１３ｄが摺動可能に嵌装され、他方端にコーナー部材１４ｃの雄螺子受１２ｃが摺動可能に嵌装されている。
【００４０】
雄螺子頭受１３ａに雄螺子１６ａの雄螺子頭１５ａが、雄螺子頭受１３ｂに雄螺子１６ｂの雄螺子頭１５ｂが、雄螺子頭受１３ｃに雄螺子１６ｃの雄螺子頭１５ｃが、雄螺子頭受１３ｄに雄螺子１６ｄの雄螺子頭１５ｄが収納されている。
雄螺子受１２ａの雌螺子部に雄螺子１６ｂの雄螺子部が、雄螺子受１２ｂの雌螺子部に雄螺子１６ｃの雄螺子部が、雄螺子受１２ｃの雌螺子部に雄螺子１６ｄの雄螺子部が、雄螺子受１２ｄの雌螺子部に雄螺子１６あの雄螺子部が螺合されている。
【００４１】
雄螺子頭１５ａには雄螺子穴１７ａが、雄螺子頭１５ｂには雄螺子穴１７ｂが、雄螺子頭１５ｃには雄螺子穴１７ｃが、雄螺子頭１５ｄには雄螺子穴１７ｄが設けられている。
【００４２】
コーナー部材１４ａの雄螺子頭受１３ａに続いてレンチ挿入孔１８ａが、コーナー部材１４ｂの雄螺子頭受１３ｂに続いてレンチ挿入孔１８ｂが、コーナー部材１４ｃの雄螺子頭受１３ｃに続いてレンチ挿入孔１８ｃが、コーナー部材１４ｄの雄螺子頭受１３ｄに続いてレンチ挿入孔１８ｄが設けられている。
【００４３】
六角レンチがレンチ挿入孔１８ａから挿入され雄螺子穴１７ａと契合して雄螺子１６ａが回転されることにより、対向する雄螺子頭受１３ａと雄螺子受１２ａの間隔が変化し、スクリーン枠が伸びたり、縮んだりする。
六角レンチがレンチ挿入孔１８ｂから挿入され雄螺子穴１７ｂと契合して雄螺子１６ｂが回転されることにより、対向する雄螺子頭受１３ｂと雄螺子受１２ｂの間隔が変化し、スクリーン枠が伸びたり、縮んだりする。
六角レンチがレンチ挿入孔１８ｃから挿入され雄螺子穴１７ｃと契合して雄螺子１６ｃが回転されることにより、対向する雄螺子頭受１３ｃと雄螺子受１２ｃの間隔が変化し、スクリーン枠が伸びたり、縮んだりする。
六角レンチがレンチ挿入孔１８ｄから挿入され雄螺子穴１７ｄと契合して雄螺子１６ｄが回転されることにより、対向する雄螺子頭受１３ｄと雄螺子受１２ｄの間隔が変化し、スクリーン枠が伸びたり、縮んだりする。
【００４４】
図３によりスクリーン枠の伸縮の状態を示す。
この図において、各内側の図は、スクリーン辺長を伸長する前の状態を示し、外側の図は、これを伸長した状態を示している。
【００４５】
（ａ）と（ｃ）に示したスクリーン枠は、２つの辺の長さが同じであり（ｂ）に示したスクリーン枠は、２つの辺の長さが異なっている。
【００４６】
また、（ａ）と（ｃ）に示したスクリーン枠は、コーナー部材と中空部材との嵌合構造が異なっており、（ａ）ではＬ型のコーナー部材１９，１９ａ，１９ｂ，１９ｃがスクリーン辺部材２０，２０ａ，２０ｂ，２０ｃ内に嵌合されるように構成されているが、（ｃ）では逆にスクリーン辺部材２０，２０ａ，２０ｂ，２０ｃがＬ型のコーナー部材１９，１９ａ，１９ｂ，１９ｃ内に嵌合されるように構成されている。
【００４７】
スクリーン辺の切断個所は、１箇所に限定されず、任意の複数箇所を切断した構造とすることも可能である。切断された各辺同士、又はコーナと枠辺、コーナーとコーナーを、反発させ引き寄せ構造で伸縮させる構成にすることも可能である。
【産業上の利用可能性】
【００４８】
この出願に係る発明の構成は、スクリーン印刷用スクリーン以外に、絵画用キャンバス又は宣伝用シートに適用可能である。
【図面の簡単な説明】
【００４９】
【図１】従来技術。
【図２】本発明実施例。
【図３】本発明実施例の動作説明。
【符号の説明】
【００５０】
１１ａ，１１ｂ，１１ｃ，１１ｄ  枠辺部材
１２ａ，１２ｂ，１２ｃ，１２ｄ  雄螺子受
１３ａ，１３ｂ，１３ｃ，１３ｄ  雄螺子頭受
１４ａ，１４ｂ，１４ｃ，１４ｄ  コーナー部材
１５ａ，１５ｂ，１５ｃ，１５ｄ  雄螺子頭
１６ａ，１６ｂ，１６ｃ，１６ｄ  雄螺子
１９，１９ａ，１９ｂ，１９ｃ  スクリーン枠コーナー
２０，２０ａ，２０ｂ，２０ｃ，２１，２１ａ，２１ｂ，２１ｃ  補助枠辺
１７ａ，１７ｂ，１７ｃ，１７ｄ  雄螺子穴
１８ａ，１８ｂ，１８ｃ，１８ｄ  レンチ挿入孔
【図１】
0004621192.tif 000002
【図２】
0004621192.tif 000003
【図３】
0004621192.tif 000004